(57)【要約】本発明は、一般的に、発信元のグループからのメッセージを受信側移動局に伝送するための移動体通信システム、方法および装置に関し、特に移動体通信システムにおいて発信元のグループからのショートメッセージサービス（ＳＭＳ）のメッセージを受信側移動局に伝送することに関する。簡潔に言えば、本発明はメッセージ、および該メッセージと関連する有効期間（４０１）の両方を、メッセージセンターから受信側移動局に送信することにより課題を解決する。メッセージと、メッセージ送信者が指定したメッセージに関連する有効期間（４０１）との両方を送信することによって、受信側移動局は受信メッセージ処理方法について決定する際に有効期間（６１０）情報を使用することができる。
2004505525.tif 000002
【特許請求の範囲】
【請求項１】
発信元のグループ（１０１）から受信側移動局（１０２）への移動体通信システム（１０）においてメッセージ（６１１）を送信する方法であって、ここで有効期間（６１０）が前記メッセージ（６１１）と関連付けられ、
前記メッセージ（６１１）および前記関連有効期間（６１０）の両方を前記受信側移動局（１０２）に送信することを含むことを特徴とする方法。
【請求項２】
前記移動通信システム（１０）がメッセージセンター（１４１／１４２）を具備し、前記メッセージおよび前記関連有効期間（６１０）が前記メッセージセンター（１４１／１４２）を介して前記受信側移動局（１０２）に送信される請求項１に記載の方法。
【請求項３】
前記メッセージ（６１１）と前記関連有効期間（６１０）が前記有効期間（６１０）が満了するまでに前記受信側移動局（１０２）に伝達されなかった場合、前記メッセージと前記関連有効期間は前記メッセージセンター（１４１／１４２）によって削除される請求項２に記載の方法。
【請求項４】
前記メッセージセンター（１４１／１４２）は、前記関連有効期間（６１０）の満了後であっても、前記メッセージおよび前記関連有効期間（６１０）の、前記受信側移動局（１０２）への送信を試みる請求項２に記載の方法。
【請求項５】
前記メッセージ（４０２／６１１）および前記関連有効期間（４１０／６１０）が、ＳＭＳ　ＤＥＬＩＶＥＲメッセージの状態で、前記メッセージセンター（１４１／１４２）から前記受信側移動局（１０２）に送信される請求項２ないし請求項４のいずれか１項に記載の方法。
【請求項６】
前記ＳＭＳ　ＤＥＬＩＶＥＲメッセージはレイヤ３のＲ−ＤＡＴＡメッセージの状態で輸送される請求項５に記載の方法。
【請求項７】
前記関連有効期間（６１０）は前記メッセージ（６１１）の満了日および／または満了時刻の形式で提供される請求項１ないし請求項６のいずれか１項に記載の方法。
【請求項８】
前記関連有効期間（６１０）は、前記メッセージ（６１１）および前記関連有効期間（６１０）が前記メッセージセンター（１４１／１４２）によって受信されたときからカウントされたオフセット時間の形式で提供される請求項１ないし請求項６のいずれか１項に記載の方法。
【請求項９】
前記メッセージ（６１１）の受信後に、前記メッセージは所定の規則および前記有効期間（６１０）に従って処理される請求項１ないし請求項８のいずれか１項に記載の方法。
【請求項１０】
前記所定の規則は、前記受信側移動局（１０２）のユーザが設定した選択に基づく請求項９に記載の方法。
【請求項１１】
前記所定の規則に準拠して、前記関連有効期間（６１０）が読取られ、時間管理が前記関連有効期間（６１０）に準拠して開始される請求項９または請求項１０に記載の方法。
【請求項１２】
前記所定の規則に準拠して、前記メッセージ（６１１）の受信日および／または受信時刻が登録され、前記関連有効期間（６１０）が前記登録日および／または登録時刻と比較される請求項９ないし請求項１１のいずれか１項に記載の方法。
【請求項１３】
前記所定の規則に準拠して、前記メッセージ（６１１）および前記関連有効期間（６１０）は、前記関連有効期間（６１０）が満了するまで第１メモリに格納される請求項９ないし請求項１２のいずれか１項に記載の方法。
【請求項１４】
前記所定の規則に準拠して、前記メッセージ（６１１）および前記関連有効期間（６１０）は、前記有効期間（６１０）の満了時に第２メモリ（６０２／６０３）に転移される請求項１３に記載の方法。
【請求項１５】
前記第２メモリ（６０３）は、カレンダー機能を有するコンピュータ（６２０）に内蔵される請求項１４に記載の方法。
【請求項１６】
前記所定の規則に準拠して、前記メッセージ（６１１）および前記関連有効期間（６１０）は、前記関連有効期間（６１０）の満了時に前記第１メモリ（６０１）から削除される請求項１３ないし請求項１５のいずれか１項に記載の方法。
【請求項１７】
前記メッセージ（６１１）および前記関連有効期間（６１０）が前記第１メモリ（６０１）から削除される前に、猶予期間が適用される請求項１６に記載の方法。
【請求項１８】
前記メッセージ（６１１）および／または前記関連有効期間（６１０）のうち少なくとも１つは、前記受信側移動局（１０２）の表示手段に表示される請求項１３ないし請求項１７のいずれか１項に記載の方法。
【請求項１９】
前記メッセージ（６１１）および／または前記関連有効期間（６１０）のうち少なくとも１つは、前記関連有効期間（６１０）の満了時に前記受信側移動局（１０２）の表示手段に表示される請求項１８に記載の方法。
【請求項２０】
前記メッセージ（６１１）および／または前記関連有効期間（６１０）のうち少なくとも１つは、前記受信側移動局（１０２）の前記ユーザが設定した選択に従って前記関連有効期間（６１０）が満了する前に前記受信側移動局（１０２）の表示手段（６０７）に表示される請求項１９に記載の方法。
【請求項２１】
前記受信側移動局（６２０）がカレンダー機能を含む請求項１ないし請求項２０のいずれか１項に記載の方法。
【請求項２２】
前記メッセージがＳＭＳメッセージに変換された電子メールである請求項１ないし請求項２１のいずれか１項に記載の方法。
【請求項２３】
前記発信元のグループ（１０１）がインターネット上のウェブページに接続したコンピュータユーザである請求項１ないし請求項２２のいずれか１項に記載の方法。
【請求項２４】
移動局（１０２）がメッセージおよび関連有効期間（６１０）を受信する手段を具備することを特徴とする移動局（１０２）。
【請求項２５】
前記移動局（１０２）が、前記関連有効期間（６１０）が満了するまで前記メッセージ（６１１）および関連有効期間を格納する第１メモリ（６０１）を、さらに具備する請求項２４に記載の移動局（１０２）。
【請求項２６】
前記移動局（１０２）が、さらに第２メモリ（６０２／６０３）を具備し、前記メッセージ（６１１）および前記関連有効期間（６１０）が前記関連有効期間（６１０）の満了時に前記第１メモリ（６０１）から前記第２メモリ（６０２／６０３）に転移される請求項２５に記載の移動局（１０２）。
【請求項２７】
前記メッセージ（６１１）および前記関連有効期間（６１０）が、前記関連有効期間（６１０）の満了時に前記第１メモリ（６０１）から削除される請求項２５または請求項２６に記載の移動局（１０２）。
【請求項２８】
前記メッセージ（６１１）および前記関連有効期間（６１０）が前記第１メモリ（６０１）から削除される前に、猶予期間が適用される請求項２７に記載の移動局（１０２）。
【請求項２９】
前記移動局（１０２）が、前記有効期間（６１０）に基づく時限管理を実行するためのタイマー（６０６）をさらに具備する請求項２４ないし請求項２８のいずれか１項に記載の移動局（１０２）。
【請求項３０】
前記移動局（１０２）が、前記メッセージ（６１１）および／または前記関連有効期間（６１０）のうち少なくとも１つを表示するための表示手段（６０７）をさらに具備する請求項２４ないし請求項２９のいずれか１項に記載の移動局（１０２）。
【発明の詳細な説明】
【０００１】
本発明の技術分野
本発明は、一般的に、発信元のグループからのメッセージを受信側移動局に伝送するための移動体通信システム、方法および装置に関し、特に移動体通信システムにおいて発信元のグループからのショートメッセージサービス（ＳＭＳ）のメッセージを受信側移動局に伝送することに関する。
【０００２】
従来技術の説明
セルラーシステム等の無線通信システムは、複数の様々な通信サービスをサポートする。最も一般的に認識され広く使用される通信サービスは、セルラー加入者の移動局間の音声通信処理に関わるものである。セルラーシステムは、さらに、非同期式データ通信、ファクシミリ通信およびショートメッセージサービス（ＳＭＳ）等をサポートする。当該ショートメッセージサービス（ＳＭＳ）は、遠隔ユニット（ｒｅｍｏｔｅ ｕｎｉｔ）において加入者に送信されるべき限定数の英数字からなるメッセージ送信を提供する。
【０００３】
移動局間でＳＭＳメッセージを送受信する際、ＳＭＳメッセージを格納および転送するメッセージセンターが使用される。インターネットに接続したコンピュータからＳＭＳメッセージを送信することができることに注目されたい。さらに、ｅ−ｍａｉｌ（電子メール）は移動局に送信することができ、その後ＳＭＳメッセージに変換される。
【０００４】
ＳＭＳメッセージを受信側移動局（ＭＳ）に送信する際には、メッセージセンターに加えて無線基地局（ＲＢＳ）、および移動通信交換局（ＭＳＣ）も関係する。ＭＳＣとメッセージセンター間の通信はＴＩＡ／ＥＩＡ−４１等の異なるネットワークインターフェースによって処理される。ＭＳＣ／ＲＢＳと移動局間の通信は、ＴＩＡ／ＥＩＡ−１３６等の異なるエアインターフェースによって処理される。ＴＩＡ／ＥＩＡ−１３６に属するセルラーシステムの場合、ＳＭＳメッセージは、レイヤ３のＲ−ＤＡＴＡメッセージ内のディジタル制御チャネル（ＤＣＣＨ）またはディジタルトラフィックチャネル（ＤＴＣ）上で、ＭＳＣと移動局間を送信される。ＳＭＳメッセージは、当該メッセージをＭＳＣおよびメッセージセンターに送信する発信元のグループからの、ＳＭＳ　ＳＵＢＭＩＴメッセージのＵｓｅｒ　Ｄａｔａ　Ｕｎｉｔにカプセル化される。ＳＭＳメッセージは、対応するメッセージセンターおよび受信側移動局のＭＳＣから受信側移動局に送信される際に、ＳＭＳ　ＤＥＬＩＶＥＲメッセージのＵｓｅｒ　Ｄａｔａ　Ｕｎｉｔにカプセル化される。
【０００５】
今日、ＳＭＳメッセージの送信者はメッセージの有効期間を指定することができる。メッセージセンターはこの情報を使用し、該メッセージセンターは受信側移動局の電源がオフになっている場合等にどのくらいの期間該メッセージを受信側移動局に転送し続けるべきか決定する。
【０００６】
しかし、メッセージセンターがどうにか有効期間内に指定メッセージを送信しても、受信者がメッセージをまだ読んでおらず該メッセージが受信側移動局のメモリ内に存在する間に、メッセージの有効期間が満了してしまう可能性がある。
【０００７】
発明の要旨
本発明が解決する課題は、受信側移動局における、より適応性のあるメッセージ処理を提供することである。
【０００８】
１つの典型的な例として、受信側移動局に伝達されたメッセージが期限切れとなっても、受信者側移動局のメモリ内に残存する場合を挙げる。１日に複数のメッセージを受信する人にとっては、自己の移動局内に不要なメッセージが保存されたままだと不都合である。この場合、結果的に、新しいメッセージが受信されるとメモリ容量が欠如してしまうためメモリ内のいくつかの重要なメッセージが消去されなければならなくなったり、または、新しいメッセージが全く保存されなくなったりする。よって、重要なメッセージが保存されない場合や、または、未読でも古い必要なメッセージから削除されていく場合が出てくる。
【０００９】
簡潔に言えば、本発明はメッセージ、および該メッセージと関連する有効期間の両方を、メッセージセンターから受信側移動局に送信することにより前記課題を解決する。
【００１０】
メッセージと、送信者が指定する前記メッセージに関連する有効期間との両方を送信することによって、受信側移動局は受信メッセージの処理方法に関して決定を下す際に有効期間情報を使用することができる。
【００１１】
本発明の目的は、受信側移動局における、より適応性のある方法でのメッセージ処理を可能にすることである。
【００１２】
本発明の別の目的は、メッセージの受信者に期限切れメッセージの処理方法の決定権を提供することである。
【００１３】
本発明の長所は、受信側移動局における、より適応性のあるメッセージ処理を可能にすることである。
【００１４】
本発明の更なる長所は、メッセージの受信者が期限切れメッセージの処理方法の決定権を有し、それにより、より重要なメッセージのために移動局のメモリ容量を使用することができることである。
【００１５】
本発明の別の長所は、第２メモリにおいて有効期間を使用する可能性である。該第２メモリは、ディジタルカレンダーといった移動局からの外部メモリとすることができる。有効期間後にメッセージを分類する機能、または、メッセージの有効期間が満了する前にカレンダーの使用者に重要なメッセージを認識させる機能をカレンダー内に含むことができる。
【００１６】
さらなる長所は、今日では有効期間に従ってメッセージセンター内の全ての期限切れメッセージが削除されているが、本発明により、領域有効期間の内容とは関係なくメッセージセンターがメッセージを送信することが可能になることである。その結果、受信側移動局のユーザによる自己のメッセージの処理に対する管理力が高まる。もちろん、有効期間に従って期限切れのメッセージをメッセージセンターに削除させたり、何も考慮せずに送信したりすることを任意に選択することはできるが、さらに、ユーザが設定した選択に従って移動局に随時送信されるメッセージを処理することができる。
【００１７】
本発明の他の目的、長所および新規性のある特徴は、添付図および請求項に基づいて以下の本発明の説明から自明である。
【００１８】
好ましい実施形態の説明
図１は、セルラーネットワークおよび移動局を含む移動体通信システム１０の一部を図示している。前記移動体通信システム１０は、通常会話およびデータ通信の他にＳＭＳ（ショートメッセージサービス）メッセージを伝送することができる。図１のネットワークには、２つの移動通信交換局（ＭＳＣ）１３１と１３２が存在し、各ＭＳＣは対応する無線基地局（ＲＢＳ）１２１と１２２に接続される。送信側移動局１０１は、各ＭＳＣ１３１と１３２を介して受信側移動局１０２にメッセージを送信しようとする。このために、ＭＳＣ１３１と１３２に対応する２つのメッセージセンター１４１と１４２が当該システム内に存在し、メッセージは、受信側移動局１０２等の受信者に伝達される前に該メッセージセンターに格納される。
【００１９】
一般的に、ＴＩＡ／ＥＩＡ−１３６およびＴＩＡ／ＥＩＡ−４１仕様に属するセルラーネットワーク等のネットワークは複数のエリアからなり、各エリアには、統合ビジタロケーションレジスタ（ｉｎｔｅｇｒａｔｅｄ ｖｉｓｉｔｏｒ ｌｏｃａｔｉｏｎ ｒｅｇｉｓｔｅｒ）（ＶＬＲ）を有するＭＳＣがある（図１のＭＳＣ／ＶＬＲの１３１と１３２を参照）。次いで、ＭＳＣ／ＶＬＲは、所定のＭＳＣ／ＶＬＲエリアの一部として規定される複数のロケーションエリア（ＬＡ）を含み、該ＭＳＣ／ＶＬＲエリアにおいて、移動局は、該ロケーションエリアを制御するＭＳＣ／ＶＬＲに更新ロケーション情報を送信する必要なく自由に移動することができる。各ロケーションエリアは複数のセルに分割される。
【００２０】
ＲＢＳは、対応しているセルを無線受信可能にするための物理的装置であり、単純化するために図１において無線タワー１２１と１２２として図示されている。
【００２１】
ＶＬＲは、ＭＳＣ／ＶＬＲエリア内に現在する全移動局についての情報を格納するデータベースである。移動局が新しいＭＳＣ／ＶＬＲエリアに移動する場合、当該ＭＳＣに接続されるＶＬＲは、ホームロケーションレジスタ（ＨＬＲ）データベース１５０に当該移動局についてのデータをリクエストすると同時に、ＨＬＲ１５０に移動局の現在地について通知する。したがって、続いて移動局のユーザが通話しようとした場合、ローカルＶＬＲは必須識別情報を有しており、ＨＬＲ１５０に繰り返し質問する必要はない。上述の方法で、ＶＬＲおよびＨＬＲ１５０データベースのそれぞれは、所定の移動局に関連する様々な加入者情報を格納する。
【００２２】
ＨＬＲ１５０は、ユーザプロフィール、現在地情報、国際携帯加入者ＩＤ（ＩＭＳＩ）番号、および他の管理情報等の全加入者情報を保存する。該ＨＬＲは、所定のＭＳＣと同一場所に配置されたり、該ＭＳＣと統合されたり、あるいはまたサービスマルチＭＳＣとすることができる。そのうちの後者が図１に図示される。
【００２３】
図２は、本システムで使用される、また図１に示されたＳＭＳサービスのための、ディジタル制御チャネル（ＤＣＣＨ）およびディジタルトラフィックチャネル（ＤＴＣ）のレイヤ２のサブチャネルの概略図である。
【００２４】
ＴＩＡ／ＥＩＡ−１３６でサポートされたレイヤ２の機能性は、ＤＣＣＨおよびＤＴＣを構成するサブチャネルの操作上の要件を反映する。サブチャネル要件の相違の結果、異なるレイヤ２のプロトコルは、図２で示されたような主要サブチャネル群化のために特定化された。
【００２５】
ＤＣＣＨのＳＰＡＣＨ論理チャネルは、ＳＭＳポイント−ツー−ポイント（ＳＭＳＣＨ）、ページング（ＰＣＨ）について特定の移動局に情報を報知するためおよびアクセス応答チャネル（ＡＲＣＨ）を提供するために使用される。
【００２６】
ＤＴＣにおいて、ＳＭＳの輸送用の論理チャネルは、ＦＡＣＣＨ（高速対応制御チャネル（Ｆａｓｔ Ａｓｓｏｃｉａｔｅｄ Ｃｏｎｔｒｏｌ Ｃｈａｎｎｅｌ））かＳＡＣＣＨ（低速対応制御チャネル（Ｓｌｏｗ Ａｓｓｏｃｉａｔｅｄ Ｃｏｎｔｒｏｌ Ｃｈａｎｎｅｌ））のどちらかとなり得る。
【００２７】
ＳＭＳメッセージを含むＳＭＳ　ＤＥＬＩＶＥＲメッセージまたはＳＭＳ　ＳＵＢＭＩＴメッセージ等のテレサービスメッセージは、レイヤ３のＲ−ＤＡＴＡメッセージ内のＤＣＣＨまたはＤＴＣ上のＴＩＡ／ＥＩＡ−１３６エアインターフェースを介して、または、Ｓｈｏｒｔ　Ｍｅｓｓａｇｅ　Ｄｅｌｉｖｅｒｙ　Ｐｏｉｎｔ−ｔｏ−Ｐｏｉｎｔ　ＳＭＤＰＰ　Ｉｎｖｏｋｅメッセージ内のＴＩＡ／ＥＩＡ−４１ネットワークインターフェースを介して伝達される（図３参照）。レイヤ３のメッセージの伝達に対して、ＴＩＡ／ＥＩＡ−１３６　Ｒ−ＤＡＴＡ　ＡＣＣＥＰＴまたはＲ−ＤＡＴＡ　ＲＥＪＥＣＴメッセージおよびＴＩＡ／ＥＩＡ−４１　ＳＭＤＰＰ　Ｒｅｔｕｒｎ　Ｒｅｓｕｌｔメッセージの送付先が応答する（図３参照）。
【００２８】
（図１における）送信側移動局１０１から受信側移動局１０２へＳＭＳメッセージを送信する方法の説明において、まず、送信側移動局１０１は、割当てられたディジタル制御チャネル（ＤＣＣＨ）を介して（ＭＳＣ／ＶＬＲ１３１に対応する）ネットワークへの接続を確立する。しかし、送信側移動局１０１がビジー状態（使用中）である場合、接続は既に存在し、ＳＭＳメッセージは、現存する呼に既に使用されているディジタルトラフィックチャネル（ＤＴＣ）上を伝送される。特にＳＭＳメッセージを送信するためだけにＤＴＣを設定することも可能である。送信側移動局１０１に対応するＭＳＣ／ＶＬＲ１３１は、メッセージを送信側移動局のメッセージセンター１４１に送信する。その後、当該メッセージセンター１４１は、メッセージを受信側移動局のメッセージセンター１４２に送信する。次いで、受信側移動局のメッセージセンター１４２は、受信側移動局１０２についてのルーチング情報をＨＬＲに求める。該ＨＬＲは、ルーチング情報を受信側移動局のメッセージセンターに返送し、該メッセージセンターは、そのとき、ＭＳＣ／ＶＬＲ１３２へのメッセージの経路を決定する。該移動局１０２が当該ＭＳＣ／ＶＬＲエリアにおいて呼び出されて、ネットワークと移動局１０２間に接続が開始され、ネットワークから移動局１０２へメッセージが送られる。
【００２９】
当業者が自明であることとして、図１の単一のメッセージセンター１４１または１４２は、移動局が同じメッセージセンターに属している限り、送信側および受信側移動局１０１および１０２のどちらにも対応することができる。前節に記載したように、異なる移動局１０１および１０２に対して異なるメッセージセンター１４１または１４２に制限されない。
【００３０】
ＭＳＣはＴＩＡ／ＥＩＡ−１３６プロトコルとＴＩＡ／ＥＩＡ−４１プロトコル間の翻訳によってメッセージセンターと移動局間の相互作用を提供する。
【００３１】
例えば受信側移動局１０２の電源がオフである等の理由で伝達が成功しなかった場合、メッセージセンター１４２内のメッセージ待受けサービスは、オプションとして、ＨＬＲおよび対応するＭＳＣ／ＶＬＲ１３２に、受信側移動局１０２に伝達されるのを待っているメッセージがメッセージセンター内に存在するという情報を提供することができる。一旦、受信側移動局１０２がＳＭＳメッセージの受信に対して有効になると、ＨＬＲ１５０はメッセージセンター１４２に通知し、ＳＭＳメッセージは再送される。
【００３２】
一方の移動局から他方の移動局に送られるＳＭＳのメッセージフローの例が図３に示される。送信側移動局１０１からのＳＭＳメッセージは、ＳＭＳ　ＳＵＢＭＩＴメッセージのＵｓｅｒ　Ｄａｔａ　Ｕｎｉｔにカプセル化される。該ＳＭＳ　ＳＵＢＭＩＴメッセージは、図２におけるＤＣＣＨまたはＤＴＣ上をＲ−ＤＡＴＡメッセージの状態でセルラーネットワークに伝達される。図４のＲ−ＤＡＴＡメッセージは、送信側移動局１０１に対応するＭＳＣ１３１によってＳＭＤＰＰ　Ｉｎｖｏｋｅメッセージに翻訳され、送信側移動局１０１に対応するメッセージセンター１４１に伝達される。送信側移動局１０１に対応するメッセージセンター１４１は、ＳＭＤＰＰ　Ｒｅｔｕｒｎ　Ｒｅｓｕｌｔメッセージ形式で肯定応答（ａｃｋｎｏｗｌｅｄｇｅｍｅｎｔ）をＭＳＣ１３１に送信する。次いで、該ＭＳＣ１３１は、ＭＳＣ１３１がメッセージを受信したことを示すために、Ｒ−ＤＡＴＡ　ＡＣＣＥＰＴメッセージを送信側移動局１０１に送出する。送信側移動局１０１に対応するメッセージセンター１４１は、ＳＭＤＰＰ　Ｉｎｖｏｋｅメッセージの状態で、ＳＭＳメッセージのメッセージセンター１４２への経路を決定する。該メッセージセンター１４２は、送信側移動局１０１に対応するメッセージセンター１４１へのＳＭＤＰＰ　Ｒｅｔｕｒｎ　Ｒｅｓｕｌｔメッセージを使って受信したＳＭＤＰＰ　Ｉｎｖｏｋｅメッセージに応答する。ＳＭＳ　ＤＥＬＩＶＥＲメッセージの状態で受信側移動局１０２のＳＭＳメッセージを含むＳＭＤＰＰ　Ｉｎｖｏｋｅメッセージは、メッセージセンター１４２によって受信側移動局１０２に対応するＭＳＣ１３２に送信される。それから、ＭＳＣ１３２は、ＳＭＤＰＰ　ＩｎｖｏｋｅメッセージをＲ−ＤＡＴＡメッセージに翻訳し、それを受信側移動局１０２に送信する。該受信側移動局１０２は、次いで、Ｒ−ＤＡＴＡ　ＡＣＣＥＰＴを使ってＲ−ＤＡＴＡメッセージの受信に応答する。それから、ＭＳＣ１３２は、受信側移動局１０２へのＳＭＳメッセージ伝達の肯定応答としてＳＭＤＰＰ　Ｒｅｔｕｒｎ　Ｒｅｓｕｌｔメッセージをメッセージセンター１４２に送信する。このステップによりＲ−ＤＡＴＡおよびＳＭＤＰＰ　Ｉｎｖｏｋｅメッセージを介した、移動局１０１から移動局１０２へのＳＭＳメッセージのルーチングが完了する。
【００３３】
ＳＭＳメッセージの送信者は、今日では、当該メッセージを有効期間６１０と関連付けることができる（図６参照）。その場合、当該期間は、メッセージセンター１４１／１４２へのＳＭＳ　ＳＵＢＭＩＴメッセージの有効期間領域６１０内に転移されることになる。メッセージセンター１４２では、ＳＭＳメッセージは、該メッセージが有効期間内に受信側移動局１０２へ伝達されない場合は削除されることになる。ＳＭＳメッセージが随時伝達されない理由には受信側移動局１０２の電源がオフである等の可能性がある。
【００３４】
受信側移動局１０２に伝達されたメッセージ６１１（図６参照）が期限切れとなっても、受信者の移動局内の第１メモリ６０１に残存する場合を挙げる。一日に複数のメッセージを受信する人にとっては、自己の移動局１０２に不要なメッセージが保存されたままだと不都合である。この場合、結果的に、新しいメッセージが受信されるとメモリ容量が欠如してしまうため第１メモリ６０１内のいくつかの重要なメッセージが消去されなければならなくなったり、または、新しいメッセージが全く保存されなくなったりする。よって、重要なメッセージが保存されない場合や、または、未読でも古い必要なメッセージから削除されていく場合が出てくる。
【００３５】
本発明は、受信側移動局１０２における、より適応性のある方法でのメッセージ処理を可能にする。期限切れのメッセージを正確に管理するためには、メッセージがいつ期限切れとなるかを決定することが重要である。このことは、送信者が設定したメッセージセンター１４１／１４２内で使用される有効期間６０１が受信側移動局１０２に譲渡されれば可能である。
【００３６】
ＳＭＳメッセージと共にＳＭＳ　ＤＥＬＩＶＥＲメッセージ内に含まれる有効期間領域４０１（図４参照）を用いて、有効期間６１０情報には受信側移動局１０２においてアクセスすることができ、該受信側移動局１０２のユーザは、該情報を用いてメッセージが期限切れであるかを判断し、期限切れメッセージに対処することができる。移動局１０２のユーザは、例えば、期限切れのメッセージの削除あるいは保存または第２メモリ６０２／６０３への転送を選択することができる。メッセージ６１１は時間の限られたものとしてもよいが、移動局１０２のユーザは、メッセージ６１１を削除せずに保存することを選択でき、また、猶予期間後にメッセージ６１１を削除することを選択することもできる。ユーザは、例えば、メッセージ６１１が、優先度の高いメッセージを受信するために条件に応じて消去されるべきか、または、有効期間６１０が切れるとすぐに消去されるべきかを選択することができる。別の選択肢としては、有効期間６１０に応じてディジタルカレンダー６２０または他種の記憶装置６０２／６０３にメッセージ６１１を転送するようにすることができる。
【００３７】
本発明の１つの模範的な実施形態によれば、移動体通信システム１０でメッセージを発信元のグループ１０１から受信側移動局１０２へ送信する方法において、メッセージ６１１は、まず発信元のグループ１０１からメッセージを格納するメッセージセンター１４１／１４２に送信される。次に、メッセージ６１１および関連有効期間６１０の両方がメッセージセンター１４１／１４２から受信側移動局１０２へ送信され、関連有効期間６１０は該受信側移動局１０２で使用されることとなる。
【００３８】
本発明による方法の模範的な実施形態では、ＳＭＳメッセージがメッセージセンター１４１／１４２から受信側移動局１０２へ伝達される際に、ＳＭＳ　ＳＵＢＭＩＴメッセージ内の領域有効期間６１０は、ＳＭＳ　ＤＥＬＩＶＥＲメッセージの新しい領域有効期間４０１と一致する。また、（図４参照のＭｅｓｓａｇｅ　Ｔｙｐｅ　Ｉｎｄｉｃａｔｏｒ、Ｍｅｓｓａｇｅ　Ｒｅｆｅｒｅｎｃｅ等の）情報要素の他領域もＳＭＳ　ＤＥＬＩＶＥＲメッセージに含まれ、さらに、ＳＭＳメッセージ６１１は、Ｕｓｅ　Ｄａｔａ　Ｕｎｉｔ４０２に含まれる（ＴＩＡ／ＥＩＡ−１３６参照）。受信者は、有効期間領域４０１に送信された有効期間６０１を使用することによって、自分なりに受信側移動局に送達されるＳＭＳメッセージを処理することを選択することができる。
【００３９】
今日では、メッセージセンター１４１／１４２は、有効期間６１０に従って期限切れのメッセージセンター内の全てのＳＭＳメッセージを削除している。本発明の１つの別の実施形態によれば、メッセージセンターで期限切れとなったＳＭＳメッセージは、削除されずに、関連有効期間とは無関係に送付先に送信される。このことは、受信者が有効期間領域６１０内の情報の使用を望む望まずに関わらず、メッセージ処理方法の選択が完全にメッセージ受信者に任されていることを示している。もちろん、オプションとして、有効期間６１０に従ってメッセージセンター１４１／１４２に期限切れメッセージを削除させたり、それとは無関係に該メッセージを送信させたりすることができる。メッセージが期限切れであろうとなかろうと、受信側移動局１０２に随時送信されるメッセージは、受信側移動局１０２のユーザが設定した選択に従って処理され得る。
【００４０】
将来的には、インターネット上のウェブページが発信元のＳＭＳメッセージ６１１またはＳＭＳメッセージに変換されたｅ−ｍａｉｌにも有効期間６１０を含むことが可能となり得る。
【００４１】
有効期間６１０は、オフセット形式または整数形式で有効期間領域４０１に供給される。第１番目の場合、有効期間領域４０１は、メッセージセンター１４１／１４２がＳＭＳ　ＳＵＢＭＩＴメッセージを受信してからカウントされた有効期間６１０の長さを提供する。第２番目の場合、有効期間６１０は、有効期間６１０終了の絶対期日および／または時刻を提供する。Ｖａｌｉｄｉｔｙ　Ｐｅｒｉｏｄ　Ｆｏｒｍａｔ領域は有効期間６１０を符号化するために使用される形式を示している。
【００４２】
ショートメッセージサービス（ＳＭＳ）で許容される英数字の数は異なる最大メッセージ長の能力を有するメッセージセンターによって制限される。最大メッセージ長は、実施次第で、システムパフォーマンスを最適化するためにシステムオペレータによって設定されてもよい。
【００４３】
図４は、ＴＩＡ／ＥＩＡ−１３６規格に基づいてＲ−ＤＡＴＡメッセージを送信する際の一般的な伝送プロトコルを図示し、ＳＭＳ　ＤＥＬＩＶＥＲメッセージの、作成される方法および結果的にＲ−ＤＡＴＡメッセージの一部となるＲ−ＤＡＴＡ　Ｕｎｉｔ４０６の一部として送信される方法を図示している。Ｒ−ＤＡＴＡメッセージ形式は一般的にＴＩＡ／ＥＩＡ−１３６−１２３Ｂ　５．３．１１に記載されている。
【００４４】
Ｒ−ＤＡＴＡ　Ｕｎｉｔ４０６は、Ｌｅｎｇｔｈ　Ｉｎｄｉｃａｔｏｒ４０３、Ｈｉｇｈｅｒ　Ｌａｙｅｒ　Ｐｒｏｔｏｃｏｌ　Ｉｄｅｎｔｉｆｉｅｒ４０４およびＨｉｇｈｅｒ　Ｌａｙｅｒ　Ｐｒｏｔｏｃｏｌ　Ｄａｔａ　Ｕｎｉｔ４０５を有する。このＤａｔａ　Ｕｎｉｔ４０５はＳＭＳ　ＤＥＬＩＶＥＲメッセージを含む。該ＳＭＳ　ＤＥＬＩＶＥＲメッセージは、送信されるＳＭＳメッセージ６１１を収容するＵｓｅｒ　Ｄａｔａ　Ｕｎｉｔ領域４０２、前記ＳＭＳメッセージ６１１に関連する有効期間６１０を収容する新しいＶａｌｉｄｉｔｙ　Ｐｅｒｉｏｄ領域４０１を含む複数の情報要素を具備する。
【００４５】
図５は、ＳＭＳメッセージ６１１および関連有効期間６１０が受信され受信者の選択に従って受信側移動局において操作される方法のフローチャートを示している。
【００４６】
一旦受信側移動局１０２のユーザが受信側移動局１０２の電源をオンにする（５０１）と、ユーザは、受信されたメッセージ６１１が関連有効期間が満了するまで第１メモリに格納されるべきか、受信側移動局１０２のユーザが第１メモリ内のメッセージ６１１の関連有効期間６０１の満了時に通知されるべきか、受信されたメッセージおよび関連有効期間６１０が関連有効期間６１０の満了時に第２メモリ６０２／６０３に転移（６０４／６０５）されるべきか第１メモリ６０１から削除されるべきか等の選択を入力できる。また、受信側移動局１０２のユーザは、第１メモリ６０１からメッセージが削除される前に猶予期間が適用されるべきか、および、期限切れのメッセージ（期限切れ関連有効期間６１０を有するメッセージ）が受信側移動局１０２に含まれるまたは受信側移動局１０２に対して外部の第２メモリ６０２に配置されるべきかを指定してもよい。
【００４７】
このように、メッセージが到達（５０３）すると、メッセージ６１１および関連有効期間６１０は受信側移動局１０２内の第１メモリ６０１に格納（５０４）される。受信側移動局１０２は、関連有効期間６１０が与えられている場合、それを抽出し、例えば該有効期間６１０に従ってタイマー６０６を設定し当該メッセージの時限管理を開始する。タイマーが切れる（５０６の選択肢で「はい」）と、受信側移動局１０２は該受信側移動局１０２のユーザが設定した選択を使用（５０７）して、例えばメッセージが第１メモリ６０１において削除（５０８）されるべきか、第２メモリ６０２／６０３に転移（６０４／６０５）され第１メモリ６０１から削除（５０８）されるべきかを決定する。さらに、受信側移動局１０２は、画面６０７上に適切なアイコンを表示（５１０）することによってユーザに転移または削除されたメッセージの状況を提供することができる。受信側移動局１０２は、関連有効期間６１０を有するメッセージの期限が切れた際に受信側移動局のユーザにそれを通知する通知機能を含むことができる。あるいは、ユーザがどのくらい早く通知を受取りたいかに応じて、メッセージ期限が切れる前のある時点で（ユーザの選択に合わせて設定）受信側移動局のユーザに通知することができる。受信側移動局１０２は、消去済みメッセージの、送信者のアドレス、有効期間６１０および緊急性の度合いを含めた記録を提供できるべきである。
【００４８】
タイマ６０６を使用する代わりに、受信側移動局１０２に新しいメッセージ６１１が到達する際に現日付および／または現時刻を登録することができる。メッセージ６１１が関連有効期間６１０を有する場合、前記有効期間は有効期間６１０が期限切れであるかを確認するためにその登録日時と比較される。
【００４９】
受信側移動局１０２のユーザによって、受信した新しいＳＭＳメッセージ６１１を受信側移動局１０２内の第１メモリ６０１に格納するオプションが設定されると、新しい受信メッセージを格納する前に、まず、受信側移動局１０２内の第１メモリ６０１に十分に利用可能なメモリが存在するか否かを制御する必要がある。利用可能なメモリが不足している場合、以前に格納されたメッセージの有効期間が確認され、メッセージが期限切れであれば、該期限切れメッセージが新たに到達するメッセージ用の容量を確保するために削除される（そのようなオプションがあれば、受信側移動局のユーザは、メッセージを削除する前に削除予定のメッセージを読むことを選択できてもよい）。これは、せいぜい、新たに受信されるメッセージ容量を確保するために必要とされる程度のメッセージを削除することを意味する。期限切れではないが、新たに到達したメッセージ６１１よりも有効期間の期限切れ期日が近いメッセージがあり、該新たに到達したメッセージ６１１の保存用に利用できるメモリが受信側移動局の第１メモリ６０１内には十分ない場合がある。このような場合、新たに到達するメッセージを常時削除する、最初に有効期限が切れるメッセージを削除する、新しく到達するメッセージ６１１または最初に有効期限が切れるメッセージを第２メモリ６０２／６０３に転送する等の、様々なメッセージ処理方法が存在する。第２メモリ６０２／６０３は、受信側移動局に内蔵の独立第２メモリ６０２または外付け独立第２メモリ６０３とすることができる。別の解決法は、新しいメッセージが到達する毎に確認する代わりに、第１メモリ６０１の期限切れメッセージを頻繁に確認することである。第１メモリ６０１内の期限切れメッセージの確認が行われると、関連有効期間６０１は該確認が実行される日付けおよび／または時刻と比較される。さらには前記載事項を参照されたい。
【００５０】
図６は、メモリ６０１／６０２／６０３、タイマー手段６０６および表示手段６０７を具備する２つの異なる移動局１０２／６２０を図示したブロック図である。受信側移動局１０２には少なくとも１つの第１メモリ６０１が含まれる。第１メモリ６０１とは独立して第２メモリ６０２が存在してもよい。第１メモリが満杯である場合、受信側移動局１０２のユーザが設定した選択に従って、メッセージ６１１および関連有効期間６１０を、第１メモリ６０１から削除、および／または同じ受信側移動局１０２内の第２メモリ６０２に移す（６０４）ことができる。また、メッセージ６１１と関連有効期間６１０は、ディジタルカレンダー６２０等の別の装置に含まれる第２メモリ６０３に移す（６０５）こともできる。受信側移動局１０２は、カレンダー機能も含むことができる。図５に記載のカレンダー機能に対する１つの解決法では、受信側移動局１０２内にタイマー手段６０６を必要とする。メッセージ６１１を表示するために、表示手段６０７が受信側移動局１０２に含まれる。
【００５１】
本発明の出願がＴＩＡ／ＥＩＡ−１３６およびＴＩＡ／ＥＩＡ−４１規格に属する無線通信システムだけに制限されないことは当業者にとっては自明である。それどころか、本発明は、例えばＧＳＭ規格、ＰＤＣ規格、ＩＳ−９５規格、ＵＭＴＳ規格またはＤＥＣＴ規格に属するシステム等、ショートメッセージサービスを利用する全システムにおいて適用可能である。
【００５２】
当業者にとって自明であるように、本出願明細書に記載の革新的な概念は、明細書の広範囲にわたって変化および変更することができる。したがって、特許対象の範囲は、説明された特定例の技術のいずれかに制限されるべきではない。
【図面の簡単な説明】
【図１】図１は、２局の移動局を含む移動体電気通信システムを図示したブロック図である。
【図２】図２は、ディジタル制御チャネルＤＣＣＨおよびディジタルトラフィックチャネルＤＴＣのレイヤ２のサブチャネルを図示したブロック図である。
【図３】図３は、送信側移動局から受信側移動局へメッセージフローを図示した信号図である。
【図４】図４は、本発明による、ＳＭＳ　ＤＥＬＩＶＥＲメッセージを送信する際の伝送プロトコルを図示した略図である。
【図５】図５は、本発明による、有効期間に応じたメッセージ管理法を図示したフローチャートである。
【図６】図６は、本発明による、移動局の２つの異なる実施形態を図示したブロック図である。
【図１】
2004505525.tif 000003
【図２】
2004505525.tif 000004
【図３】
2004505525.tif 000005
【図４】
2004505525.tif 000006
【図５】
2004505525.tif 000007
【図６】
2004505525.tif 000008
【国際公開パンフレット】
2004505525.tif 000009
2004505525.tif 000010
2004505525.tif 000011
2004505525.tif 000012
2004505525.tif 000013
2004505525.tif 000014
2004505525.tif 000015
2004505525.tif 000016
2004505525.tif 000017
2004505525.tif 000018
2004505525.tif 000019
2004505525.tif 000020
2004505525.tif 000021
2004505525.tif 000022
2004505525.tif 000023
2004505525.tif 000024
2004505525.tif 000025
2004505525.tif 000026
2004505525.tif 000027
2004505525.tif 000028
2004505525.tif 000029
2004505525.tif 000030
2004505525.tif 000031
2004505525.tif 000032
2004505525.tif 000033
2004505525.tif 000034
2004505525.tif 000035
【国際調査報告】
2004505525.tif 000036
2004505525.tif 000037